(57)【要約】【課題】盗難され難く、かつ、構造が簡単であって安価に製造することが可能な傘を提供する。【解決手段】軸棒３の内部に同軸上に、かつ、外周面にハジキ８を当接可能に設置され、スペーサ１０によって回動自在に保持される略円柱状のハジキ固定具９は、回動されることにより軸棒３の溝部１２と重なってハジキ８を没入可能に凹部９ａが側面に設けられるとともに、柄４の内部に同軸上に固設される係合部材１３に形成されたスリット１３ａに対して係合可能に突起部が側面に設けられている。【選択図】図２
2013141507.tif 000002
【特許請求の範囲】
【請求項１】
石突が設けられて閉塞された先端部に上ろくろが貫通固定されるとともに、開口する基端部の近傍に溝部が設けられた円筒状の軸棒と、この軸棒に対して摺動自在に外嵌される下ろくろと、この下ろくろに係止して閉傘状態を維持可能に前記溝部内に設置されるハジキと、前記軸棒の前記基端部に着脱自在に取り付けられる柄と、を備えた傘において、
前記ハジキに対して当接可能に前記軸棒内に設置されるハジキ固定具と、
このハジキ固定具に対して係合可能に形成されて前記柄の内部に同軸上に固設される円筒状の係合部材と、を備え、
前記ハジキ固定具は、前記係合部材の動作に連動して前記ハジキに当接する箇所が前記軸棒内で移動し、前記ハジキに対する当接状態を解除可能に形成されたことを特徴とする傘。
【請求項２】
前記係合部材には第１のスリットが設けられ、
前記ハジキ固定具は、棒状をなす本体と、長手方向へ回転軸が直交するように、この本体に支持されるピニオンと、このピニオンに噛合した状態で前記本体の長手方向へ対して進退自在に設置される第１のラックと、からなり、
前記係合部材の前記第１のスリットに対して係合可能に前記軸棒の外周面に設けられる第１の突起部と、
前記係合部材の内部に前記軸方向に対して平行に設置される第２のラックと、を備え、
前記係合部材は前記ハジキ固定具を内挿可能に形成され、
前記ハジキ固定具は前記第１のラックの先端部を前記ハジキに対して当接可能に設置され、
前記第２のラックは、前記ハジキ固定具の前記係合部材への内挿に伴って、前記ピニオンを介して前記第１のラックを前記ハジキに対する当接状態が解除される方向へ移動可能に設置されたことを特徴とする請求項１記載の傘。
【請求項３】
前記ハジキ固定具は円柱状をなし、外周面を前記ハジキに対して当接可能に前記軸棒と同軸上に配置されるとともに、回動されることにより前記溝部と重なって前記ハジキを没入可能に凹部が側面に設けられ、
前記係合部材には第２のスリットが設けられ、
前記ハジキ固定具の前記外周面には、この第２のスリットに対して係合可能に第２の突起部が設けられたことを特徴とする請求項１記載の傘。
【請求項４】
前記係合部材には第３のスリットが設けられ、
前記第２の突起部の代わりに、この第３のスリットに対して係合可能に前記軸棒の外周面に設けられる第３の突起部と、
前記係合部材内に同軸上に固設される角柱状の係止具と、
この係止具に対して係止可能に前記ハジキ固定具の端部に形成される角孔と、
前記第３のスリットの端部から円周方向に沿って設けられる係合孔と、を備え、
この係合孔は、内部に配置される前記第３の突起部が前記係合部材の回動に伴って相対的に円周方向へ移動可能に形成されたことを特徴とする請求項３記載の傘。
【発明の詳細な説明】
【技術分野】
【０００１】
本発明は、施錠装置が取り付けられていない傘立て等を利用した場合でも盗難され難い傘に係り、特に、構造が簡単であって安価に製造することが可能な傘に関する。
【背景技術】
【０００２】
雨天時に屋外で使用した傘は、通常、そのままの状態では屋内に持って入ることができない。しかし、建物の入口に設置された傘立て等に傘を預けた場合、傘立て等に施錠装置が取り付けられていないと、傘を盗まれてしまうおそれがある。
そこで、傘立て等に施錠装置が取り付けられていない場合でも勝手に傘を持ち去られないように、従来、傘の盗難を防止する技術について様々な研究が行われている。そして、それに関して、既に幾つかの発明や考案が開示されている。
【０００３】
例えば、特許文献１には「傘の柄着脱装置」という名称で、盗難を防止するために柄を着脱可能な構造にした傘に関する発明が開示されている。図１７はその発明の実施例を示した一部断面斜視図である。
図１７に示すように、特許文献１に開示された発明は、傘本体１００の中棒１１０に係止ピン１１１が設けられるとともに、補助筒２２０にカム溝２３０が形成され、この補助筒２２０が柄２００の受入孔２１０に回動自在に保持された構造となっている。さらに、柄２００の受入孔２１０には、案内溝２１１が形成され、底部に第１の付勢手段３００及び第２の付勢手段４００が設けられている。
このような構造によれば、柄２００を傘本体１００に差し込むことで、係止ピン１１１が案内溝２１１内を移動し、第１の付勢手段３００及び第２の付勢手段４００に抗してカム溝２３０の係止ポケット部に侵入して係止するという作用を有する。これにより、柄２００を傘本体１００に結合させることができる。
一方、第２の付勢手段４００に抗して補助筒２２０を手で回動させると、係止ピン１１１がポケット部から離脱し、第１の付勢手段３００によって軸方向へ押し上げられるという作用を有する。これにより、容易に中棒１１０から柄２００を抜脱させることができる。
【０００４】
また、特許文献２には、「傘の施錠装置」という名称で、支骨の露先を施錠することで勝手に開くことができないように構成された傘に関する発明が開示されている。なお、図１３はその発明の実施例を示した斜視図であり、図１８（ａ）は解錠された状態を示し、図１８（ｂ）は施錠された状態を示している。
図１８（ａ）及び図１８（ｂ）に示すように、特許文献２に開示された発明は、柄５００に取り付けられたダイヤル式シリンダー錠６００が、解錠された場合にのみ、柄５００が軸方向に沿って後退可能な構造となっている。そして、ダイヤル式シリンダー錠６００には、前進した状態で複数本の支骨のすべての露先を収容可能に開口部が設けられている。
このような構造によれば、ダイヤル式シリンダー錠６００が施錠された状態では支骨のすべての露先がダイヤル式シリンダー錠６００の内部に収容されているため、傘を開くことができない。これにより、傘の盗難や取り違えを防ぐことができる。
【先行技術文献】
【特許文献】
【０００５】
【特許文献１】特開２００９−１３６４２８号公報
【特許文献２】特開２００３−１３８８２４号公報
【発明の概要】
【発明が解決しようとする課題】
【０００６】
しかしながら、上述の従来技術である特許文献１に開示された発明においては、柄が外れていても軸を持てば傘を使用することができるため、急に雨が降り出した場合などの一時しのぎとして、他人に持ち去られてしまうおそれがあった。
【０００７】
また、特許文献２に開示された発明においては、ダイアル式シリンダー錠を用いていることから、時間をかければ、解錠されてしまうおそれがある。従って、たとえその場では使用できないとしても、後日使用するつもりで他人が持ち去ってしまうという課題があった。さらに、解錠作業や施錠作業に時間を要するため、使い勝手が良くないという課題もあった。
【０００８】
本発明はこのような従来の事情に対処してなされたものであり、盗難され難く、かつ、構造が簡単であって安価に製造することが可能な傘を提供することを目的とする。
【課題を解決するための手段】
【０００９】
上記目的を達成するため、請求項１記載の発明は、石突が設けられて閉塞された先端部に上ろくろが貫通固定されるとともに、開口する基端部の近傍に溝部が設けられた円筒状の軸棒と、この軸棒に対して摺動自在に外嵌される下ろくろと、この下ろくろに係止して閉傘状態を維持可能に溝部内に設置されるハジキと、軸棒の基端部に着脱自在に取り付けられる柄と、を備えた傘において、ハジキに対して当接可能に軸棒内に設置されるハジキ固定具と、このハジキ固定具に対して係合可能に形成されて柄の内部に同軸上に固設される円筒状の係合部材と、を備え、ハジキ固定具は、係合部材の動作に連動してハジキに当接する箇所が軸棒内で移動し、ハジキに対する当接状態を解除可能に形成されたことを特徴とするものである。
【００１０】
上記構造の傘においては、軸棒から柄を取り外すことにより、盗難され難くなるという作用を有する。また、軸棒に取り付けた柄を操作すると、ハジキ固定具が柄に連動して移動し、ハジキの操作可能な状態と操作不能な状態が切り替わるという作用を有する。さらに、ハジキを操作不能な状態にしたまま、柄を軸棒から取り外すと、その状態が維持されるという作用を有する。
【００１１】
また、請求項２記載の発明は、請求項１記載の傘において、係合部材には第１のスリットが設けられ、ハジキ固定具は、棒状をなす本体と、長手方向へ回転軸が直交するように、この本体に支持されるピニオンと、このピニオンに噛合した状態で本体の長手方向へ対して進退自在に設置される第１のラックと、からなり、係合部材の第１のスリットに対して係合可能に軸棒の外周面に設けられる第１の突起部と、係合部材の内部に軸方向に対して平行に設置される第２のラックと、を備え、係合部材はハジキ固定具を内挿可能に形成され、ハジキ固定具は第１のラックの先端部をハジキに対して当接可能に設置され、第２のラックは、ハジキ固定具の係合部材への内挿に伴って、ピニオンを介して第１のラックをハジキに対する当接状態が解除される方向へ移動可能に設置されたことを特徴とするものである。
このような構造の傘においては、請求項１に記載の発明の作用に加えて、軸棒に対する柄の着脱動作により、ハジキの操作可能な状態と操作不能な状態が切り替わるという作用を有する。
【００１２】
請求項３記載の発明は、請求項１記載の傘において、ハジキ固定具は円柱状をなし、外周面をハジキに対して当接可能に軸棒と同軸上に配置されるとともに、回動されることにより溝部と重なってハジキを没入可能に凹部が側面に設けられ、係合部材には第２のスリットが設けられ、ハジキ固定具の外周面には、この第２のスリットに対して係合可能に第２の突起部が設けられたことを特徴とするものである。
このような構造によれば、係合部材の第２のスリットと、この第２のスリットに係合するハジキ固定具の第２の突起部の組み合わせは無数に存在するため、正しい組み合わせの「第２のスリットと第２の突起部」を特定して係合部材とハジキ固定具を複製することが困難である。従って、本発明の傘においては、請求項１記載の発明の作用を有することに加えて、ハジキ固定具の第２の突起部及び係合部材の第２のスリットがそれぞれ錠及び鍵として機能する。
また、軸棒に取り付けた柄を回動すると、ハジキ固定具も回動する。そして、ハジキ固定具の凹部が軸棒の溝部に重なると、ハジキが操作可能となり、ハジキ固定具の凹部が軸棒の溝部から外れると、ハジキ固定具の外周面にハジキが当接することによりハジキが操作不能になるという作用を有する。さらに、ハジキ固定具の外周面にハジキを当接させたまま、柄を軸棒から取り外すと、ハジキが操作不能な状態でロックされるという作用を有する。
【００１３】
請求項４記載の発明は、請求項３記載の傘において、係合部材には第３のスリットが設けられ、第２の突起部の代わりに、この第３のスリットに対して係合可能に軸棒の外周面に設けられる第３の突起部と、係合部材内に同軸上に固設される角柱状の係止具と、この係止具に対して係止可能にハジキ固定具の端部に形成される角孔と、第３のスリットの端部から円周方向に沿って設けられる係合孔と、を備え、この係合孔は、内部に配置された第３の突起部が係合部材の回動に伴って相対的に円周方向へ移動可能に形成されたことを特徴とするものである。
このような構造の傘においては、請求項３記載の発明の作用を有することに加え、ハジキ固定具と軸棒の間に突起部を設けるための空間を要しないという作用を有する。また、軸棒の第３の突起部と係合部材の第３のスリットがそれぞれ錠及び鍵として機能する。
【発明の効果】
【００１４】
以上説明したように、本発明の請求項１記載の傘によれば、軸棒から柄を取り外すことで盗難を防ぐことができる。さらに、ハジキを操作不能な状態にして柄を軸棒から取り外すと、その柄を再び軸棒に取り付けて回動しない限り、元の状態に戻せないため、より確実に盗難を防ぐことができる。また、柄を取り外して手元に持っておくことにより、傘の置き忘れを防ぐことができる。
【００１５】
本発明の請求項２記載の傘によれば、請求項１に記載の発明の効果に加えて、軸棒から柄を取り外すという簡単な操作によって、盗難を確実に防止できるという効果を奏する。
【００１６】
本発明の請求項３記載の傘によれば、請求項１記載の発明よりもさらに盗難を防止する効果が大きい。また、ハジキ固定具と係合部材の構造が簡単であるため、安価に製造することができる。
【００１７】
本発明の請求項４記載の傘によれば、請求項３記載の発明よりもさらに小型化や軽量化が可能である。  
【図面の簡単な説明】
【００１８】
【図１】本発明の実施の形態に係る傘の実施例１の外観斜視図である。
【図２】（ａ）及び（ｂ）はそれぞれ実施例１の傘を構成する軸棒及び柄の部分拡大図である。
【図３】（ａ）及び（ｂ）は図２（ａ）におけるＡ−Ａ線矢視断面を含む斜視図である。
【図４】（ａ）は図２（ａ）に示したハジキ固定具の部分拡大図であり、（ｂ）は図２（ｂ）に示した柄取り外しボタンを拡大した斜視図である。
【図５】図２（ａ）におけるＢ−Ｂ線矢視断面の一部を拡大した図である。
【図６】（ａ）及び（ｂ）は図５において柄取り外しボタンの近傍を拡大した図である。
【図７】（ａ）及び（ｂ）はそれぞれ本発明の実施の形態に係る傘の実施例２を構成する軸棒及びハジキ固定具の外観斜視図である。
【図８】実施例３の傘を構成する係合部材、係止具及び柄の外観斜視図である。
【図９】（ａ）及び（ｂ）はそれぞれ図８に示した係合部材及び係止具の拡大図である。
【図１０】実施例２の傘において軸棒と柄の連結状態を示す縦断面の一部を拡大した図である。
【図１１】（ａ）及び（ｂ）は図１０において柄取り外しボタンの縦断面が含まれる平面で切断するとともに、柄取り外しボタンの近傍を拡大して示した図である。
【図１２】（ａ）及び（ｂ）はそれぞれ本発明の実施の形態に係る傘の実施例３を構成する軸棒の一部及び柄の外観を示す斜視図である。
【図１３】（ａ）は実施例３の傘を構成するハジキ固定具の外観斜視図であり、（ｂ）は図１３（ａ）におけるＤ−Ｄ線矢視断面図である。
【図１４】（ａ）は実施例３の傘を構成する係合部材の外観斜視図であり、（ｂ）は図１４（ａ）におけるＥ−Ｅ線矢視断面図である。
【図１５】（ａ）は図１２（ａ）におけるＣ−Ｃ線矢視断面図であり、（ｂ）は実施例３の傘において軸棒と柄の連結状態を示す縦断面の一部を拡大した図である。
【図１６】実施例３の傘において軸棒と柄の連結状態を示す縦断面の一部を拡大した図である。
【図１７】従来技術に係る傘の柄着脱装置の一部断面斜視図である。
【図１８】従来技術に係る傘の施錠装置の斜視図である。
【発明を実施するための形態】
【００１９】
本発明は軸棒と柄に特徴的な構造を有するものである。以下、その構造と、それによって発揮される作用及び効果について、図１乃至図１６を参照しながら具体的に説明する。
【実施例１】
【００２０】
本実施例の傘について図１乃至図６を用いて説明する（特に、請求項１及び請求項３に対応）。なお、図３ではスペーサの図示を省略し、図５では、ハジキの図示を省略している。
図１に示すように、本実施例の傘は、石突１が設けられて閉塞された先端部に円盤状の上ろくろ（図示せず）が貫通固定された円筒状の軸棒３に対し、下ろくろ２が摺動自在に外嵌されるとともに、開口する基端部３ａに対して柄４が着脱自在に取り付けられた構造となっている。
【００２１】
上ろくろの外周には、複数の親骨５が基端を傾動自在に連結されるとともに、軸棒３を中心として等角度間隔で放射状をなすように配置されている。また、親骨５には傘布６が張設されており、親骨５の長さ方向の略中間と下ろくろ２の外周には複数の受骨（図示せず）の両端がそれぞれ回動自在に連結されている。さらに、略円柱状をなす柄４の側面には、後述の柄取り外しボタン７が設置されており、軸棒３の基端部３ａの近傍には、ハジキ８が設置されている。
【００２２】
図２（ａ）に示すように、軸棒３の内部には略円柱状のハジキ固定具９が同軸上に、かつ、外周面にハジキ８を当接可能に設置されている。そして、ハジキ固定具９は、軸棒３の内周面とハジキ固定具９の外周面の間に設置されるスペーサ１０によって回動自在に保持されている。また、軸棒３には、その円周方向に沿ってガイド溝１１ｂが形成されるとともに、軸方向に沿って基端部３ａの端縁からガイド溝１１ｂの一端に達するガイド溝１１ａが形成されている。
さらに、ガイド溝１１ｂの他端には、後述するように係止孔１１ｃ（図６（ａ）参照）が設けられている。なお、係止孔１１ｃは柄取り外しボタン７の係止部７ｄ（図４（ｂ）参照）に係止可能に形成され、ガイド溝１１ｂの幅は柄取り外しボタン７の係止部７ｄの幅（係止孔１１ｃ内に配置された状態において軸棒３の軸方向に沿った長さ）よりも狭くなるように形成されている。
【００２３】
ハジキ８は、ボタン８ａと係止部８ｂと弾性部材（図示せず）からなり、軸棒３の基端部３ａの近傍に設けられた溝部１２に収納されている。ボタン８ａ及び係止部８ｂは溝部１２の内部において軸棒３の半径方向へ移動可能に設置され、弾性部材によって溝部１２から突出する方向へ付勢されている。そして、係止部８ｂは、閉傘時に溝部１２から突出した状態で下ろくろ２に係止可能に配置されている。
なお、弾性部材の付勢力に抗してボタン８ａを押し下げると、係止部８ｂは溝部１２に没入する。その結果、下ろくろ２から係止部８ｂが外れて、開傘可能な状態になる。また、ハジキ固定具９の側面には、回動されることにより溝部１２と重なってハジキ８を没入可能に凹部９ａが設けられている。
【００２４】
図２（ｂ）に示すように、柄４の一端には、軸棒３の基端部３ａを挿入可能に受入孔４ａが形成されており、受入孔４ａの内部には、ハジキ固定具９に外挿可能に、かつ、スペーサ１０の内部へ挿入可能に略円筒状の係合部材１３が柄４と同軸上に固設されている。そして、係合部材１３の端縁から軸方向に沿って所定の長さを有する複数のスリット１３ａが形成されている。
柄４の側面にはボタン孔４ｂ（図６参照）が設けられており、柄取り外しボタン７は柄４の半径方向に対して移動自在にボタン孔４ｂに設置されている。なお、本実施例では柄取り外しボタン７の一部がボタン孔４ｂの内部に収納されているが、このような構造に限らず、例えば、柄４の側面から突出しないように柄取り外しボタン７の全体がボタン４ｂの内部に収納されていても良い。
【００２５】
ハジキ固定具９の動作について図３を用いて説明する。なお、図３は図２（ａ）におけるＡ−Ａ線矢視断面図であり、図３（ｂ）は図３（ａ）においてハジキ固定具９を軸棒３の基端部３ａ側から見て時計周りに略９０°回動させた状態を示している。
図３（ａ）に示すように、ハジキ固定具９の凹部９ａの位置が軸棒３の溝部１２から外れていると、ボタン８ａと係止部８ｂとの連結部分８ｃがハジキ固定具９の外周面に当接し、ハジキ８は軸棒３の半径方向に対して移動不能となる。この場合、係止部８ｂを下ろくろ２から外すことができないため、閉傘状態が維持される。
一方、図３（ｂ）に示すように、ハジキ固定具９が回動されることによって凹部９ａが軸棒３の溝部１２と重なると、ハジキ８は軸棒３の半径方向に対して移動可能となる。この場合、ボタン８ａを押して係止部８ｂを凹部９ａに没入させることにより、係止部８ｂが下ろくろ２から外れて、開傘可能な状態となる。
【００２６】
図４（ａ）に示すように、ハジキ固定具９の外周面には、係合部材１３（図２（ｂ）参照）が外挿時された際にスリット１３ａ（図２（ｂ）参照）に対して係合可能に、複数の突起部９ｃが設けられている。また、スペーサ１０は、突起部９ｃを覆うとともに、外周面１０ｃが軸棒３の内周面に当接した状態で回動自在に設置されている。
すなわち、本実施例においては、ハジキ固定具９の突起部９ｃと係合部材１３のスリット１３ａが、柄４とハジキ固定具９を一体的に回動可能に連結する連結手段として機能する。
【００２７】
スペーサ１０の外周面にはボタン固定孔１０ａが形成されるとともに、端縁１０ｄからボタン固定孔１０ａにかけてガイド溝１１ａと同じ長さを有するガイド溝１０ｂが軸方向に沿って形成されている。
また、図４（ｂ）に示すように、柄取り外しボタン７は、圧縮コイルばね７ａが外挿されるガイド部７ｂの両端にそれぞれ操作部７ｃと係止部７ｄが設けられた構造となっている。そして、ガイド部７ｂは圧縮コイルばね７ａが抜け落ちないように操作部７ｃ及び係止部７ｄよりも細く形成されるとともに、ガイド溝１０ｂ及びガイド溝１１ａ，１１ｂの幅よりも細く形成されている。
【００２８】
ハジキ固定具９のすべての突起部９ｃに対してすべてのスリット１３ａが対応するように、軸棒３に対する係合部材１３の回動角度を調整するとともに、スペーサ１０のガイド溝１０ｂの位置を軸棒３のガイド溝１１ａ（図２（ｂ）参照）に合わせると、柄取り外しボタン７のガイド部７ｂが軸棒３のガイド溝１１ａ内を移動してガイド溝１１ｂに達するまで、柄４の受入孔４ａに軸棒３の基端部３ａを挿入することができる。
【００２９】
この状態から柄４を回動させて柄取り外しボタン７のガイド部７ｂを軸棒３のガイド溝１１ｂに沿って係止孔１１ｃまで移動させると、図５に示すように、ハジキ固定具９の凹部９ａが軸棒３の溝部１２に重なるとともに、柄取り外しボタン７の係止部７ｄが軸棒３の係止孔１１ｃに係止することにより柄４が軸棒３に固定される。この場合、前述したようにハジキ８のボタン８ａを押すことにより、開傘することができる。
なお、ハジキ固定具９は、スペーサ１０だけでなく、その外周面と軸棒３の内周面の間に設置される円筒状のスペーサ１４によっても回動自在に保持されている。
【００３０】
図６（ａ）は、柄取り外しボタン７の係止部７ｄが軸棒３の係止孔１１ｃに係止することにより、柄４が軸棒３に固定された状態を示している。すなわち、本実施例では、柄取り外しボタン７が、柄４に対して抜け防止手段及び回動防止手段として機能する。
また、操作部７ｃは、ボタン孔４ｂの段付き部と操作部７ｃの間に設置される圧縮コイルばね７ａによりボタン孔４ｂから押し出される方向へ付勢されている。すなわち、柄取り外しボタン７は係止孔１１ｃから係止部７ｄが勝手に外れないような構造となっている。
【００３１】
図６（ａ）に示した状態から、柄取り外しボタン７の操作部７ｃを押して係止部７ｄを軸棒３の係止孔１１ｃから外すと、柄４は軸棒３に対して回動可能となる。そこで、柄４を回動させてガイド部７ｂを軸棒３のガイド溝１１ｂに沿ってガイド溝１１ａまで移動させると、図６（ｂ）に示すように、柄４は軸棒３に対して軸方向へ移動可能になるとともに、ハジキ固定具９の凹部９ａが軸棒３の溝部１２から外れるため、ハジキ８の連結部分８ｃがハジキ固定具９の外周面に当接する。この場合、ハジキ８のボタン８ａを押して係止部８ｂを下ろくろから外すことができないため、閉傘状態が維持される。
【００３２】
上記構造の傘では、軸棒３から柄４を取り外すことで、盗難を防ぐことができる。また、軸棒３に取り付けた柄４を回動させることにより、ハジキ８の操作可能な状態と操作不能な状態を容易に切り替えることができる。特に、ハジキ８を操作不能な状態にして柄４を軸棒３から取り外すと、その柄４を再び軸棒３に取り付けて回動しない限り、元の状態に戻せないため、盗難を確実に防ぐことができる。さらに、軸棒３から取り外した柄４が手元に残るので、傘の置き忘れを防ぐことができる。
【００３３】
また、係合部材１３のスリット１３ａと、これに係合するハジキ固定具９の突起部９ｃの組み合わせは無数に存在するため、正しい組み合わせを特定して係合部材１３とハジキ固定具９を複製することは困難である。従って、ハジキ固定具９の突起部９ｃ及び係合部材１３のスリット１３ａが錠及び鍵として機能する。
そして、本発明の傘によれば、ハジキ固定具９と係合部材１３の構造が簡単であるため、安価に製造することが可能である。さらに、柄４が柄取り外しボタン７によって軸棒３に固定されており、柄４が軸棒３から不用意に外れるおそれがないため、安全に使用したり、持ち運んだりすることができる。
【００３４】
なお、本発明の傘は本実施例に示した構造に限定されるものではない。例えば、スペーサ１０やスペーサ１４を設けずに、ハジキ固定具９が、その外周面を軸棒３の内周面に当接した状態で回動自在に設置されていても良い。また、係合部材１３のスリット１３ａ及びハジキ固定具９の突起部９ｃの設置個所や設置個数は本実施例に示した場合に限らず、適宜変更可能である。
加えて、柄取り外しボタン７も本実施例に示したものに限定されない。例えば、ノック式ボールペンのノック部分の機構を柄取り外しボタン７に適用し、１度押すと、係止部７ｄが突出して軸棒３の係止孔１１ｃに係止するとともに、もう１度押すと、係止部７ｄが退行して軸棒３の係止孔１１ｃから外れる構造とすることもできる。この場合、軸棒３のガイド溝１１ａ，１１ｂ及びスペーサ１０のボタン固定孔１０ａやガイド溝１０ｂを設ける必要がない。従って、軸棒３やスペーサ１０の加工コストを安くすることができる。
【実施例２】
【００３５】
本実施例の傘について図７乃至図１１を用いて説明する（特に、請求項４に対応）。なお、図１乃至図６に示した構成要素については同一の符号を付して、その説明を省略する。
本実施例の傘は、実施例１の傘において、ハジキ固定具９の端部９ｂの外周面に突起部９ｃが設けられる代わりに、軸棒３の基端部３ａの外周面に複数の突起部３ｂが設けられた構造となっている（図７（ａ）及び図７（ｂ）参照）。
【００３６】
ハジキ固定具９はスペーサ１０，１４の代わりに、スペーサ１５（図１０参照）によって軸棒３の内部で回動自在に保持されている。また、柄４の内部には六角柱状の係止具１６（図８及び図９（ｂ）参照）が同軸上に固設されており、ハジキ固定具９の端部９ｂには係止具１６に係止可能な六角孔９ｄが形成されている（図７（ｂ）参照）。さらに、スリット１３ａの端部には、軸棒３の各突起部３ｂにそれぞれ対応するようにガイド孔１３ｂ（図９（ａ）参照）が円周方向に沿って設けられている。そして、スペーサ１５の外周面には、一端から他端に至るガイド溝１５ａ（図１１（ｂ）参照）が軸方向に対して平行に、かつ、軸棒３の半径方向に見て突起部３ｂと重ならないように形成されている。
なお、図７（ｂ）及び図１０では、ハジキ固定具９の長さが実施例１の場合よりも短くなっているが、必ずしもこのような構造にする必要はなく、ハジキ固定具９の長さは適宜変更可能である。
【００３７】
本実施例の傘では、軸棒３のすべての突起部３ｂに対してすべてのスリット１３ａが対応するように、軸棒３に対する係合部材１３の回動角度を調整すると、ガイド部７ｂ（図１１（ｂ）参照）を案内するスペーサ１５のガイド溝１５ａと軸棒３のガイド溝１１ａ（図１１（ｂ）参照）が重なるとともに、ガイド部７ｂがガイド溝１５ａとガイド溝１１ａに沿って案内されるように柄取り外しボタン７が柄４の側面に配置されている。
この場合、柄取り外しボタン７のガイド部７ｂが軸棒３のガイド溝１１ａ内を移動してガイド溝１１ｂに達するまで柄４の受入孔４ａに軸棒３の基端部３ａを挿入することができる。
【００３８】
次に、この状態から柄４を回動させて柄取り外しボタン７のガイド部７ｂを軸棒３のガイド溝１１ｂに沿って係止孔１１ｃまで移動させると、図１０に示すように、ハジキ固定具９の凹部９ａと軸棒３の溝部１２の位置が一致するとともに、係止具１６がハジキ固定具９の六角孔９ｄに係止する。そして、図１１（ｂ）に示すように、柄取り外しボタン７の係止部７ｄが軸棒３の係止孔１１ｃに係止して軸棒３に対する柄４の回動が拘束される。すなわち、柄４が軸棒３から取り外し不能になるとともに、傘は開閉自在な状態となる。
【００３９】
図１１（ａ）は、柄取り外しボタン７の係止部７ｄが軸棒３の係止孔１１ｃに係止することにより、軸棒３に対する柄４の回動が拘束された状態を示している。また、操作部７ｃは、ボタン孔４ａの段付き部と操作部７ｃの間に設置される圧縮コイルばね７ａによりボタン孔４ｂから押し出される方向へ付勢されている。すなわち、柄取り外しボタン７は係止孔１１ｃから係止部７ｄが勝手に外れないような構造となっている。
【００４０】
図１１（ａ）の状態において、柄取り外しボタン７の操作部７ｃを押して係止部７ｄを軸棒３の係止孔１１ｃから外すと、柄４は軸棒３に対して回動可能となる。そこで、柄４を回動させてガイド部７ｂを軸棒３のガイド溝１１ｂに沿ってガイド溝１１ａまで移動させると、図１１（ｂ）に示すように、柄４は軸棒３に対して軸方向へ移動可能になるとともに、ハジキ固定具９の外周面に連結部分８ｃが当接することにより、ハジキ８が軸棒３の半径方向に対して移動不能な状態となる（図３（ａ）参照）。これにより、柄４が軸棒３から取り外し可能になるとともに、傘は勝手に開くことができない状態となる。
【００４１】
以上説明したように、本発明の傘によれば、実施例１のようにハジキ固定具９と軸棒３の間に突起部９ｃを設けるための空間が不要であるため、実施例１の場合よりも小型化や軽量化を図ることができる。また、軸棒３の突起部３ｂと係合部材１３のスリット１３ａ及びガイド孔１３ｂがそれぞれ錠及び鍵として機能する。さらに、ハジキ固定具９と係合部材１３の構造が簡単であるため、製造コストを安くすることが可能である。
【００４２】
なお、本発明の傘は本実施例に示した構造に限定されるものではない。例えば、スペーサ１５を設けずに、ハジキ固定具９が、その外周面を軸棒３の内周面に当接した状態で回動自在に設置された構造としても良い。また、係止具１６を六角柱以外の角柱とすることもできる。そして、この係止具１６に係止可能な形状であれば、ハジキ固定具９の端部９ｂには六角孔９ｄ以外の角孔を形成しても良い。
さらに、係合部材１３のスリット１３ａやガイド孔１３ｂ及び軸棒３の突起部３ｂの設置個所や設置個数は本実施例に示した場合に限定されるものではなく、適宜変更可能である。
【実施例３】
【００４３】
本実施例の傘について図１２乃至図１６を用いて説明する（特に、請求項２に対応）。なお、図１６は図１５（ｂ）における切断面と直交する切断面をハジキ８側から見た図である。そして、図１５（ｂ）は柄４に軸棒３が差し込まれる途中の状態を示し、図１６は柄４に軸棒３が完全に差し込まれた状態を示している。また、図１乃至図１１に示した構成要素については同一の符号を付して、その説明を省略する。
図１２（ａ）に示すように、本実施例の傘は実施例２の傘とは異なり、軸棒３の外周面にガイド溝１１ａ，１１ｂ及び係止孔１１ｃが設けられていない。また、図１２（ｂ）に示すように、柄４の側面に柄取り外しボタン７の代わりに柄取り外しボタン１７が取り付けられている。そして、図１３に示すように、ハジキ固定具９の代わりにハジキ固定具１８を備えたことを特徴とする。
【００４４】
図１３（ａ）及び図１３（ｂ）に示すように、ハジキ固定具１８は、略棒状をなし、端部１９ａにガイド溝１９ｂが設けられた本体１９と、この本体１９の内部に設置されるラック２０、ピニオン２１及び圧縮コイルばね２２によって構成されている。
また、ピニオン２１は回転軸２１ａが本体１９の長手方向に対して直交するように設置されており、ラック２０は先端部２０ａが本体１９から突出するとともに、基端部２０ｂが圧縮コイルばね２２を介して本体１９の端部１９ａに連結されている。すなわち、ラック２０は圧縮コイルばね２２によって先端部２０ａが本体１９から突出する方向へ付勢されるとともに、ピニオン２１に噛合した状態で本体１９の長手方向に対して進退自在に設置されている。
【００４５】
図１４（ａ）及び図１４（ｂ）に示すように、係合部材１３の内部には軸方向に対して平行にラック２３が設置されている。そして、ラック２３には、柄４に軸棒３を差し込んだ際にピニオン２１と噛合するように、歯２３ｂが端部２３ａから所定の長さにわたって形成されている。なお、本実施例では実施例２とは異なり、係合部材１３にガイド孔１３ｂは設けられていない。
【００４６】
図１５（ａ）に示すように、軸棒３の内部には、ハジキ固定具１８がハジキ８の連結部分８ｃに対してラック２０の先端部２０ａを当接可能に同軸上に、かつ、回転不能に設置されている。すなわち、軸棒３に柄４が取り付けられていない状態では、ハジキ８を押し下げられない構造となっている。
また、軸棒３のすべての突起部３ｂ（図１２（ａ）参照）にすべてのスリット１３ａ（図１４参照）が対応するように、軸棒３に対する係合部材１３の回動角度を調整すると、柄４の受入孔４ａ（図１２（ｂ）参照）に対して軸棒３の基端部３ａが差し込み可能な状態になる。そこで、柄４の受入孔４ａに軸棒３の基端部３ａを差し込むと、図１５（ｂ）に示すように、ラック２３が本体１９のガイド溝１９ｂ（図１３（ａ）参照）によって案内され、ピニオン２１に噛合する。
【００４７】
図１５（ｂ）の状態から柄４へ軸棒３をさらに差し込むと、ラック２３はハジキ固定具１８に対して矢印Ｆの方向へ相対的に移動するため、ラック２３に噛合するピニオン２１は矢印Ｇの方向へ回転する。これにより、ピニオン２１に噛合するラック２０はハジキ固定具１８の本体１９に対して矢印Ｆの逆方向へ相対的に移動する。
そして、柄４へ軸棒３を完全に差し込むと、ラック２０は先端部２０ａがハジキ８の連結部分８ｃに当接しなくなる位置まで移動する。これにより、ハジキ８は押し下げ可能な状態となる。
【００４８】
一方、軸棒３を柄４から抜き出す方向へ移動させると、ラック２３はハジキ固定具１８に対して矢印Ｆの逆方向へ相対的に移動し、ピニオン２１は矢印Ｇの逆方向へ回転するため、ラック２０はハジキ固定具１８の本体１９に対して矢印Ｆの方向へ相対的に移動する。
そして、軸棒３を柄４から完全に抜き出すと、ラック２０は先端部２０ａがハジキ８の連結部分８ｃに当接する位置まで移動する。この場合、ハジキ８を押し下げることができないため、開傘不能な状態になる。
【００４９】
図１６に示すように、柄取り外しボタン１７は、圧縮コイルばね１７ａが外挿されるガイド部（図示せず）の両端にそれぞれ操作部１７ｂと係止部１７ｃが設けられた構造であり、柄４に軸棒３が完全に差し込まれた状態において係止部１７ｃが係合部材１３のスリット１３ａに係止するように柄４に設置されている。
また、柄取り外しボタン１７は、前述した公知のノック式ボールペンのノック部分と同様の機構を有している。すなわち、操作部１７ｂを１度押すと、係止部１７ｃが柄４の内部へ突出して係合部材１３のスリット１３ａに係止し、操作部１７ｂをもう１度押すと、係止部１７ｃが退行して係合部材１３のスリット１３ａから外れる構造となっている。
【００５０】
上記構造の傘では、軸棒３に柄４を取り付けると、ハジキ８が操作可能な状態になり、軸棒３から柄４を取り外すと、ハジキ８が操作不能な状態になる。また、軸棒３の突起部３ｂと係合部材１３のスリット１３ａがそれぞれ錠及び鍵として機能する。
従って、実施例１や実施例２の場合よりもさらに簡単な「軸棒３から柄４を取り外す」という操作のみによって、傘の盗難を確実に防ぐことができる。また、軸棒３から取り外した柄４が手元に残るので、傘の置き忘れを防ぐこともできる。
さらに、柄４が柄取り外しボタン１７によって軸棒３に固定されるため、柄４が軸棒３から不用意に外れるおそれがない。従って、安全に使用したり、持ち運んだりすることができる。
【００５１】
なお、本実施例では、ラック２０がピニオン２１と軸棒３の内周面で挟まれた状態で支持されているが、このような構造に限らず、例えば、ハジキ固定具１８によって支持された構造であっても良い。また、ピニオン２１がラック２０の自重によって容易に回転しない程度にピニオン２１とラック２０の間の摩擦力が大きい場合には、圧縮コイルばね２２は省略しても良い。
【産業上の利用可能性】
【００５２】
請求項１乃至請求項４に記載の傘は、雨傘に限らず、日傘に対しても同様に適用可能である。
【符号の説明】
【００５３】
１…石突  ２…下ろくろ  ３…軸棒  ３ａ…基端部  ３ｂ…突起部  ４…柄  ４ａ…受入孔  ４ｂ…ボタン孔  ５…親骨  ６…傘布  ７…柄取り外しボタン  ７ａ…圧縮コイルばね  ７ｂ…ガイド部  ７ｃ…操作部  ７ｄ…係止部  ８…ハジキ  ８ａ…ボタン  ８ｂ…係止部  ８ｃ…連結部分  ９…ハジキ固定具  ９ａ…凹部  ９ｂ…端部  ９ｃ…突起部  ９ｄ…六角孔  １０…スペーサ  １０ａ…ボタン固定孔  １０ｂ…ガイド溝  １０ｃ…外周面  １０ｄ…端縁  １１ａ，１１ｂ…ガイド溝  １１ｃ…係止孔  １２…溝部  １３…係合部材  １３ａ…スリット  １３ｂ…ガイド孔  １４…スペーサ  １５…スペーサ  １５ａ…ガイド溝  １６…係止具  １７…柄取り外しボタン  １７ａ…圧縮コイルばね  １７ｂ…操作部  １７ｃ…係止部  １８…ハジキ固定具  １９…本体  １９ａ…端部  １９ｂ…ガイド溝  ２０…ラック  ２０ａ…先端部  ２０ｂ…基端部  ２１…ピニオン  ２１ａ…回転軸  ２２…圧縮コイルばね  ２３…ラック  ２３ａ…端部  ２３ｂ…歯  １００…傘本体  １１０…中棒  １１１…係止ピン  ２００…柄  ２１０…受入孔  ２１１…案内溝  ２２０…補助筒  ２３０…カム溝  ３００…第１の付勢手段  ４００…第２の付勢手段  ５００…柄  ６００…ダイヤル式シリンダー錠  
【図１】
2013141507.tif 000003
【図２】
2013141507.tif 000004
【図３】
2013141507.tif 000005
【図４】
2013141507.tif 000006
【図５】
2013141507.tif 000007
【図６】
2013141507.tif 000008
【図７】
2013141507.tif 000009
【図８】
2013141507.tif 000010
【図９】
2013141507.tif 000011
【図１０】
2013141507.tif 000012
【図１１】
2013141507.tif 000013
【図１２】
2013141507.tif 000014
【図１３】
2013141507.tif 000015
【図１４】
2013141507.tif 000016
【図１５】
2013141507.tif 000017
【図１６】
2013141507.tif 000018
【図１７】
2013141507.tif 000019
【図１８】
2013141507.tif 000020